(57)【特許請求の範囲】
【請求項１】
構造物の取付面上に延設された係止溝と、該係止溝に係止されたブラケットとを備えて、該ブラケットで物品を支持することによって前記構造物の前記取付面上に前記物品を固定するための物品固定構造であって、
前記ブラケットは、前記係止溝の幅方向に延びる内部空間が形成されているとともに、該内部空間から前記係止溝側とを連通させる連通孔が形成され、前記物品を支持するブラケット本体と、
該ブラケット本体から突出して前記係止溝に挿入されていて、該係止溝の幅方向に並べて対をなして設けられ、ともに、先端が前記連通孔から前記係止溝に向かって突出されているとともに、基端に前記内部空間に突出するガイド片が設けられ、前記ガイド片が前記内部空間に形成された案内レールで案内されることによって前記ブラケット本体に対して前記係止溝の幅方向に進退可能とされた一対の被係止部材と、
前記ブラケット本体に前記係止溝の幅方向に沿って形成された挿入孔に挿入されるとともに、先端側で一対の前記被係止部材の内の一方に形成されたネジ孔に螺合され、先端を前記被係止部材の他方に当接可能とされた取付ネジとを有し、
前記係止溝は、少なくとも一方の側縁から幅方向に突出する係止縁部によって内部の幅よりも開口部の幅の方が狭くなるように形成されていて、
該取付ネジを前記被係止部材の他方に当接させた状態で前記被係止部材の一方に対して締め付けることで、一対の前記被係止部材同士は、前記係止溝の幅方向に離間させられて、それぞれ該係止溝に押圧されており、
前記取付ネジを締め付けることで該係止溝の前記係止縁部と当接する前記被係止部材の先端には、前記係止縁部と係合する被係止片が、前記被係止部材の先端から突端に向かう傾斜面と突端から基端に向かう傾斜面とを有して前記係止縁部に向けて突出して設けられていることを特徴とする物品固定構造。
【請求項２】
前記構造物の前記取付面上には前記係止溝近傍に互いに嵌合可能な嵌合凹部または嵌合凸部の一方が設けられているとともに、前記ブラケット本体には他方が設けられており、前記被係止部材は、前記嵌合凹部と前記嵌合凸部とが互いに嵌合した状態で、前記係止溝に挿入されていることを特徴とする請求項１に記載の物品固定構造。
【発明の詳細な説明】
【技術分野】
【０００１】
本発明は、オフィス等の執務空間で使用される什器に設けられたパネル体や、杆材等の構造物の取付面上に別の物品を取り付けることのできる物品固定構造に関するものである。
【背景技術】
【０００２】
一般に、オフィス等の執務空間にて使用される什器は、その構成部材であるパネル体や、杆材等の構造物上面に、別の物品を固定して構成されるものが知られている。こうした物品固定構造としては、物品と構造物とを溶接や接着等の手段によって固定する方法が多く取られている。この構造によれば、簡易にして安価な構造で物品を構造物に取り付けることが出来るが、物品を取り付けた状態と、取り外した状態で選択的に構造物を使用したい場合には、対応できないと云う問題があった。
また、物品に設けた挿通孔を介して挿入された螺合手段を、構造物に設けたネジ孔に螺合させることによって、構造物に物品を固定する構造が一般的に使用されている（例えば、特許文献１）。
また、構造体上部に、内部が開口部よりも幅広とされた係止溝を構造体に沿って形成し、その係止溝に、爪状に形成された付け根部を弾性的に変形させて挿入することで係止されるブラケットを用いて構造体に物品を取り付ける方法が提案されている（例えば、特許文献２）。
【特許文献１】特開平１０−３３１３００号公報
【特許文献２】特許第３５６１４８６号公報
【発明の開示】
【発明が解決しようとする課題】
【０００３】
しかし、従来の特許文献１に提案された物品固定構造にあっては、物品の着脱の選択は可能であるが、構造物への物品の取付位置を複数設定したい場合には、構造物上面に複数のネジ孔を設けなければならず、構造物上面の体裁が悪くなってしまうと云う問題が存在した。
また、従来の特許文献２に提案された物品固定構造にあっては、弾性変形によって挿入された爪状の付け根部による係止によってのみ物品が固定されているため、物品が強固に構造体に連結されているとは云えず、取り付けにおける強度と安定性に不安を有していた。
本発明は、上記の問題点を解決するためになされたもので、簡易な操作でありながら、強固でかつ、安定して物品を構造物に取り付けることのできる物品固定構造を提供することを目的とする。
【課題を解決するための手段】
【０００４】
前記目的を達成するために、本願発明は構造物の取付面上に延設された係止溝と、該係止溝に係止されたブラケットとを備えて、該ブラケットで物品を支持することによって前記構造物の前記取付面上に前記物品を固定するための物品固定構造であって、前記ブラケットは、前記係止溝の幅方向に延びる内部空間が形成されているとともに、該内部空間から前記係止溝側とを連通させる連通孔が形成され、前記物品を支持するブラケット本体と、  該ブラケット本体から突出して前記係止溝に挿入されていて、該係止溝の幅方向に並べて対をなして設けられ、ともに、先端が前記連通孔から前記係止溝に向かって突出されているとともに、基端に前記内部空間に突出するガイド片が設けられ、前記ガイド片が前記内部空間で案内されることによって前記ブラケット本体に対して前記係止溝の幅方向に進退可能とされた一対の被係止部材と、前記ブラケット本体に前記係止溝の幅方向に沿って形成された挿入孔に挿入されるとともに、先端側で一対の前記被係止部材の内の一方に形成されたネジ孔に螺合され、先端を前記被係止部材の他方に当接可能とされた取付ネジとを有し、前記係止溝は、少なくとも一方の側縁から幅方向に突出する係止縁部によって内部の幅よりも開口部の幅の方が狭くなるように形成されていて、該取付ネジを前記被係止部材の他方に当接させた状態で前記被係止部材の一方に対して締め付けることで、一対の前記被係止部材同士は、前記係止溝の幅方向に離間させられて、それぞれ該係止溝に押圧されており、前記取付ネジを締め付けることで該係止溝の前記係止縁部と当接する前記被係止部材の先端には、前記係止縁部と係合する被係止片が、前記被係止部材の先端から突端に向かう傾斜面と突端から基端に向かう傾斜面とを有して前記係止縁部に向けて突出して設けられていることを特徴としている。
【０００５】
この発明に係る物品固定構造によれば、物品を固定するブラケットを取付面上に取り付ける際には、まず、一対の被係止部材を係止溝に挿入させる。そして、取付ネジを被係止部材の他方に当接させた状態で被係止部材の一方に対して締め付ける。これにより、一対の被係止部材同士は、係止溝の幅方向に離間させられて、それぞれ係止溝に押圧されるので、物品を強固でかつ安定して構造物に取り付けることが出来る。また、取り外す際にも、取付ネジを緩めるのみであり、簡易な操作でブラケットを着脱することができる。また、これらの着脱作業は、構造物の何れか一方の側からのみの操作で行うことができ、作業性を向上することができる。
【０００７】
また、取付ネジを締め付けることにより、被係止部材の被係止片が係止溝の係止縁部に係止することとなるので、物品が固定されるブラケットを、より強固に取付面上に固定することができる。
【０００９】
また、被係止片が被係止部材の先端から突端に向かう傾斜面を有して突出しているので、ブラケット本体を係止溝にセットする際に、この傾斜面に案内されて被係止片を容易に係止溝に挿入することができる。
【００１１】
また、被係止片が突端から基端に向かう傾斜面を有して突出しているので、取付ネジを締め付けることにより、係止縁部と傾斜面とが係合して安定的に物品を固定することができる。また、取り外す際には、この傾斜面に案内されて被係止片を容易に係止溝から引き抜くことができる。
【００１３】
また、一対の被係止部材がともにブラケット本体に対して進退可能であることから、物品が固定されるブラケットを、より強固かつ安定的に取り付けることができる。
【００１５】
また、被係止部材の一方は、ガイド片が内部空間に案内されることによって、より円滑に幅方向に進退することができ、取付作業をより円滑に行うことができる。
【００１６】
また、本願発明において、前記構造物の前記取付面上には前記係止溝近傍に互いに嵌合可能な嵌合凹部または嵌合凸部の一方が設けられているとともに、前記ブラケット本体には他方が設けられており、前記被係止部材は、前記嵌合凹部と前記嵌合凸部とが互いに嵌合した状態で、前記係止溝に挿入されていることを特徴とするものである。
【００１７】
この発明に係る物品固定構造によれば、嵌合凹部と嵌合凸部とが互いに嵌合した状態で、被係止部材が係止溝に挿入され係止されているので、物品が固定されるブラケットを、より強固でかつ、安定的に取り付けることができる。
【発明の効果】
【００１８】
この発明の物品固定構造によれば、一対の被係止部材と取付ネジとを有するブラケットを備えることで、簡易な操作でありながら、強固でかつ、安定して物品を構造物に取り付けることができる。
【発明を実施するための最良の形態】
【００１９】
（第１の実施の形態）
以下、一実施の形態を示す図面に基づいて本発明を詳細に説明する。図１は、本発明に係る物品固定構造の一実施の形態を示す全体斜視図、図２は、本発明の物品固定構造における物品とブラケットの関係を示す説明図である。ここで、図１及び図２に示すように、物品固定構造１０は、構造物１であるテーブル等の取付面１ａ上に延設された係止溝１１と、この係止溝１１に係止されたブラケット１２とを備えて、該ブラケット１２で物品１３、例えば収納ボックスを支持することによって構造物１の取付面１ａ上に物品１３を固定するものである。
【００２０】
図１に示すように、テーブルである構造物１は、上面に延設されたレール１ｂを備えており、レール１ｂの上面を取付面１ａとし、また、係止溝１１が形成されている。図３に示すように、係止溝１１は、両側縁から幅方向に突出する係止縁部２０によって内部空間の幅よりも開口部の幅の方が狭くなるように形成されている。また、ブラケット１２の下部には、嵌合凹部２１が形成されていて、レール１ｂを嵌合凸部２２として、ブラケット１２はレール１ｂに嵌合されている。尚、ブラケット１２の下面に嵌合凸部を設けるとともに、レール１ｂに嵌合凹部を設け、互いに嵌合するように構成してもよい。
【００２１】
図３に示すように、ブラケット１２は、物品１３を支持するブラケット本体１４と、ブラケット本体１４から突出して係止溝１１に挿入され、係止溝１１の幅方向に並べて対をなして設けられた第１の被係止部材１５及び第２の被係止部材１６と、ブラケット本体１４に形成された挿入孔１７に挿入された取付ネジ１９とを有している。挿入孔１７は、ブラケット本体１４において一方側から係止溝１１の幅方向に沿って形成されている。そして、挿入孔１７に挿通された取付ネジ１９は、先端側で第１の被係止部材１５内に形成されたネジ孔１８に螺合され、先端を第２の被係止部材１６に当接可能とされている。
【００２２】
図３及び図４に示すように、ブラケット本体１４は、係止溝１１の幅方向に延びる内部空間２３が形成されるとともに、この内部空間２３から係止溝１１側とを連通させる連通孔２４が形成されている。また、ブラケット本体１４の長手方向の一側端には、内部空間２３に至る取付ネジ１９を挿入するための挿入孔１７が形成されている。更に、ブラケット本体１４の両端近傍には、物品１３に固着するためのビス孔２５が形成されている。また、内部空間２３の端面には、ブラケット本体１４の長手方向に沿って被係止部材１５、１６を摺動可能に案内する案内レール２６が形成されている。
【００２３】
図３及び図５に示すように、第１の被係止部材１５は、ブラケット本体１４の連通孔２４から係止溝１１方向に向かって突出する本体部１５ａと、本体部１５ａの先端（下端）から係止溝１１の隣接する側縁に向かって突出する被係止片２７と、本体部１５ａの基端（上端）からブラケット本体１４の内部空間２３に突出するガイド片２８とを備える。そして、ガイド片２８が内部空間２３において案内レール２６上で案内されることによって幅方向に進退可能となっている。また、本体部１５ａには、取付ネジ１９と螺合するネジ孔１８が形成されている。また、被係止片２７は、本体部１５ａの先端２７ａから突端２７ｂに向かう第１傾斜面２９を有すると共に、突端２７ｂから基端２７ｃに向かう第２傾斜面３０を有して突出している。
【００２４】
図３及び図６に示すように、第２の被係止部材１６は、ブラケット本体１４の連通孔２４から係止溝１１方向に向かって突出する本体部１６ａと、本体部１６ａの先端（下端）から係止溝１１の隣接する側縁に向かって突出する被係止片３１と、本体部１６ａの基端（上端）からブラケット本体１４の内部空間２３に突出するガイド片３２とを備える。そして、ガイド片３２が内部空間２３において案内レール２６上で案内されることによって幅方向に進退可能となっている。また、被係止片３１は、本体部１６ａの先端３１ａから突端３１ｂに向かう第１傾斜面３４を有すると共に、突端３１ｂから基端３１ｃに向かう第２傾斜面３５を有して突出している。
【００２５】
以上のように構成された本発明に係る物品固定構造１０の使用手順について図に従って説明する。先ず、図３に示すように物品１３をビス３６で固着したブラケット１２の嵌合凹部２１を構造物１の取付面１ａ上に延設されたレール１ｂである嵌合凸部２２に装着する。これと同時に、ブラケット１２の下面から突出した第１の被係止部材１５の本体部１５ａ及び第２の被係止部材１６の本体部１６ａの各先端側が、係止溝１１の開口部に挿入される。ここで、各先端側には、被係止片２７、３１が突出しているが、それぞれ第１傾斜面２９、３４を有していることで、これらに案内されて容易に係止溝１１に挿入される。
【００２６】
次に、図７に示すように、取付ネジ１９を内部に押し付けることで、先端を第２の被係止部材１６に当接させ、これにより第２の被係止部材１６が隣接する係止溝１１の係止縁部２０に当接するようにする。そして、取付ネジ１９を操作して、第１の被係止部材１５のネジ孔１８にさらに螺入させる。すると、取付ネジ１９が第２の被係止部材１６に当接して進出不能となっていることから、第１の被係止部材１５は、相対的に、図６、７中右方向へ案内レール２６上を移動して隣接する他の係止縁部２０に当接することとなる。また、各被係止片２７、３１は、対応する係止縁部２０にそれぞれ係合することとなる。この際、それぞれ第２傾斜面３０、３５を有していることで、より確実に係合された状態となる。これにより、物品１３を固定するブラケット１２を係止溝１１に強固に固定することができる。
【００２７】
一方、ブラケット１２を係止溝１１から取り外す場合には、取付ネジ１９を緩める。これにより、第１の被係止部材１５が対応する係止縁部２０に当接した状態が解除され、これにより取付ネジ１９も挿入孔１７内で進退可能となり、第２の被係止部材１６と離間した状態となる。このため、第１の被係止部材１５及び第２の被係止部材１６の先端側を係止溝１１から引き抜くことが可能となり、ブラケット本体１４とともに引き抜くことで、ブラケット１２は係止溝１１から取り外された状態となる。この際、各被係止片２７、３１がそれぞれ第２傾斜面３０、３５を有していることで、これらに案内されて容易に係止溝１１から引き抜くことができる。
【００２８】
以上のように、本実施形態の物品固定構造１０は、係止溝１１と、第１の被係止部材１５及び第２の被係止部材１６とを備えていることで、取付ネジ１９を操作するだけで、簡単に着脱することができ、取り付けた状態では、強固かつ安定して構造物１に取り付けることができる。特に、取付ネジ１９による操作は、ブラケット１２の一方側からのみであり、一回の操作でブラケット１２を固定することができる。このため、長テーブルなど大寸法の構造物上で物品を固定する場合でも、構造物の両側で作業する必要が無く、効率良く物品の固定作業を行うことができる。
【００２９】
（第２の実施の形態）
図８は、本発明の第２の実施の形態においてブラケットを係止溝に装着した状態を示す説明図である。本実施の形態において、第２の被係止部材３７がブラケット本体３８と一体となっている。他の構成は、第１の実施の形態と同様であり、同一番号を付して説明を省略する。第２の被係止部材３７は、第１の被係止部材１５と背中合わせに配設されており、係止溝１１方向に向かって突出する本体部３７ａと、本体部３７ａの先端（下端）から係止溝１１の側縁に向かって突出する被係止片３９とを備える。被係止片３９は、先端３９ａから突端３９ｂに向かう第１傾斜面４０を有すると共に、突端３９ｂから基端３９ｃに向かう第２傾斜面４１を有している。なお、本実施形態において、ブラケット本体３８の嵌合凹部２１の幅は、レール１ｂによって構成される嵌合凸部２２の幅よりも大きく設定されており、互いに嵌合した状態で隙間が生じるようになっている。この隙間は、第２の被係止部材３７において、被係止片３９が本体部３７ａから突出している大きさよりも大きくなるように設定されている。
【００３０】
以上のように構成された本発明に係る物品固定構造の使用手順について説明する。本実施の形態では、先ず、図８に示すように物品１３をビス３６で固着したブラケット本体３８の嵌合凹部２１をレール１ｂである嵌合凸部２２に装着する。これと同時に、ブラケット本体３８の下面から突出した第１の被係止部材１５及び第２の被係止部材３７の各先端側が係止溝１１の開口部に挿入される。次に、ブラケット本体３８を操作して、第２の被係止部材３７を隣接する係止縁部２０に当接させる。そして、図９に示すように、取付ネジ１９を操作して、第１の被係止部材１５のネジ孔１８に螺合させ、案内レール２６上を図中右方向へ移動させる。この操作により、第２傾斜面３０が係止縁部２０に当接して、被係止片２７と係止縁部２０が係合することとなる。このため、第１の実施形態同様に、物品１３を固定するブラケット１２を係止溝１１に強固に固定することができる。
なお、上記においては、ブラケット本体３８の嵌合凹部２１の幅は、レール１ｂによって構成される嵌合凸部２２の幅よりも大きく設定されているものとしたが、これに限るものでは無い。第２の被係止部材３７が被係止片３９を有していない構成とすることで、嵌合凹部２１と嵌合凸部２２とが互いに隙間無く嵌合する構成とすることもできる。
【００３１】
以上、本発明の実施形態について図面を参照して詳述したが、具体的な構成はこの実施形態に限られるものではなく、本発明の要旨を逸脱しない範囲の設計変更等も含まれる。
【００３２】
なお、上記各実施形態においては、係止溝には係止縁部が突出して設けられ、また、各被係止部材には被係止片が形成されるものとしたが、これに限るものではない。単に被係止部材が係止溝の壁面に押圧して摩擦により係止されるものとしても良い。
【図面の簡単な説明】
【００３３】
【図１】本発明に係る物品固定構造の一実施の形態を示す全体斜視図である。
【図２】本発明に係る同物品固定構造における物品とブラケットの関係を示す説明図である。
【図３】本発明に係る物品固定構造におけるブラケット本体を示す平面図である。
【図４】本発明に係る物品固定構造における第１の被係止部材を示す（ａ）側面図、（ｂ）正面図、（ｃ）縦断面図である。
【図５】本発明に係る物品固定構造における第２の被係止部材を示す（ａ）側面図、（ｂ）正面図、（ｃ）縦断面図である。
【図６】本発明に係る物品固定構造におけるブラケットを係止溝に装着した状態を示す説明図である。
【図７】本発明に係る物品固定構造におけるブラケットを係止溝に装着し、取付ネジを操作して固定した状態を示す説明図である。
【図８】本発明の他の実施の形態においてブラケットを係止溝に装着した状態を示す説明図である。
【図９】他の実施の形態においてブラケットを係止溝に装着し、取付ネジを操作して固定した状態を示す説明図である。
【符号の説明】
【００３４】
１０      物品固定構造
１１      係止溝
１２      ブラケット
１３      物品
１４      ブラケット本体
１５      第１の被係止部材
１６      第２の被係止部材
１７      挿入孔
１８      ネジ孔
１９      取付ネジ
２０      係止縁部
２１      嵌合凹部
２２      嵌合凸部
２３      内部空間
２４      連通孔
２５      ビス孔
２６      案内レール
２７      被係止片
２７ａ    先端
２７ｂ    突端
２７ｃ    基端
２８      ガイド片
２９、３４  第１傾斜面
３０、３５  第２傾斜面
３１      被係止片
３２      ガイド片
３６      ビス
３７      第２の被係止部材
３８      ブラケット本体
３９      第１傾斜面
４０      第２傾斜面
【図１】
0005033588.tif 000002
【図２】
0005033588.tif 000003
【図３】
0005033588.tif 000004
【図４】
0005033588.tif 000005
【図５】
0005033588.tif 000006
【図６】
0005033588.tif 000007
【図７】
0005033588.tif 000008
【図８】
0005033588.tif 000009
【図９】
0005033588.tif 000010